(57)【要約】【課題】遊技盤を光透過性を有する合成樹脂板基盤で構成した遊技機において、絵柄による装飾効果を低下させることなく装飾性を高める。【解決手段】光透過性を有する合成樹脂製基盤Ｃ１の裏面側に、絵柄が印刷された化粧板Ｃ３が貼り付けられる。化粧板Ｃ３は、印刷部ＰＡＴＥＴＥＲＮと非印刷部ＢＬＡＮＫとにより裏面側に絵柄ＤＥＳＩＧＮが印刷されたベース材Ｃ３ａの裏面全体を、セパレータ層Ｃ３ｃを介在させて裏打材Ｃ３ｂで裏打ちされている。ベース材Ｃ３ａ、セパレータ層Ｃ３ｃ、裏打材Ｃ３ｂは光透過性を有する合成樹脂製フィルム製で、裏打材Ｃ３ｂには、前方からの光を反射し、後方からの光を透過し得る光反射性が全体に付与されている。発光演出装置ＬＥＤ０１，ＬＥＤ０２は、少なくとも非印刷部ＢＬＡＮＫの後方で所定の発光演出を実行する様に設置される。【選択図】  図２
2018068607.tif 000002
【特許請求の範囲】
【請求項１】
遊技盤を光透過性を有する合成樹脂製基盤で構成し、該合成樹脂製基盤の後方に演出装置を備えると共に、さらに、以下の構成をも備えていることを特徴とする遊技機。
（１Ａ）前記合成樹脂製基盤の裏面側には、絵柄が印刷されると共に裏面全体を裏打材で裏打ちされたベース材を備える化粧板が貼り付けられていること。
（１Ｂ）前記ベース材は光透過性を有する合成樹脂製フィルムによって構成され、印刷部と非印刷部とにより、裏面側に前記絵柄が印刷されていること。
（１Ｃ）前記裏打材は光透過性を有する合成樹脂製フィルムによって構成され、全体に前方からの光を反射し、後方からの光を透過し得る光反射性が付与されていること。
（１Ｄ）前記ベース材と前記裏打材との間には、光透過性を有する合成樹脂製フィルムによって構成されたセパレータ層が介在されていること。
（１Ｅ）前記演出装置は、少なくとも前記非印刷部の後方で所定の演出を実行する様に設置されていること。
【請求項２】
さらに、以下の構成をも備えていることを特徴とする請求項１に記載の遊技機。
（２）前記ベース材は、表面全体に粘着剤層を備えたＰＥＴフィルムで構成されていること。
【請求項３】
さらに、以下の構成をも備えていることを特徴とする請求項１又は２に記載の遊技機。
（３）前記印刷部は、前記絵柄をオフセット印刷用インキを用いて印刷したオフセット印刷層と、該オフセット印刷層の裏面全体に重なる様にシルク印刷用インキを用いて印刷したシルク印刷層とによって構成されていること。
【請求項４】
さらに、以下の構成をも備えていることを特徴とする請求項１〜３のいずれかに記載の遊技機。
（４）前記セパレータ層は、全体にシリコン処理がなされたＰＥＴフィルムによって構成されていること。
【請求項５】
さらに、以下の（５）〜（７）のいずれか一つの構成をも備えていることを特徴とする請求項１〜４のいずれかに記載の遊技機。
（５）前記裏打材は、ＰＶＣフィルムに対して形成したエンボス層によって光を拡散反射させる光拡散フィルムによって構成され、前記セパレータ層が前記エンボス層を覆う様に貼り付けられていること。
（６）前記裏打材は、ＰＥＴフィルムに対して形成したエンボス層の表面にアルミ蒸着層を重ね合わせたレンズフィルムによって構成され、前記セパレータ層が前記アルミ蒸着層を覆う様に貼り付けられていること。
（７）前記裏打材は、ＰＥＴフィルムの表面にアルミ蒸着層を重ね合わせたハーフミラーフィルムによって構成され、前記セパレータ層が前記アルミ蒸着層を覆う様に貼り付けられていること。
【発明の詳細な説明】
【技術分野】
【０００１】
本発明は、遊技盤を光透過性を有する合成樹脂製基盤で構成した遊技機に関する。
【背景技術】
【０００２】
遊技機の遊技盤においては、ベニヤ製基盤が主流であったが、近年、光透過性を有する合成樹脂製基盤が採用される様になってきた（例えば、特許文献１）。
【０００３】
特許文献１に記載の遊技機は、ナイロンフィルムからなる透明な表面層の裏側にグラビア印刷によって絵柄を形成すると共にＰＥＴ製の透明な裏打層を積層した化粧板を、アクリル系の透明成樹脂製基盤の上に接合した遊技盤の裏側に電飾装置を配置し、電飾装置による発光演出を遊技盤を透かして視認させる様にしたものである。
【先行技術文献】
【特許文献】
【０００４】
【特許文献１】特開平１０−１７９８５４
【発明の概要】
【発明が解決しようとする課題】
【０００５】
特許文献１に記載の遊技機によれば、ベニヤ製遊技盤にはない電飾効果を発揮することができる反面、絵柄による装飾効果が低下するという問題がある。
【０００６】
そこで、本発明は、遊技盤を光透過性を有する合成樹脂板基盤で構成した遊技機において、絵柄による装飾効果を低下させることなく装飾性を高めることを目的とする。
【課題を解決するための手段】
【０００７】
上記目的を達成するためになされた本発明の遊技機は、遊技盤を光透過性を有する合成樹脂製基盤で構成し、該合成樹脂製基盤の後方に演出装置を備えると共に、さらに、以下の構成をも備えていることを特徴とする。
（１Ａ）前記合成樹脂製基盤の裏面側には、絵柄が印刷されると共に裏面全体を裏打材で裏打ちされたベース材を備える化粧板が貼り付けられていること。
（１Ｂ）前記ベース材は光透過性を有する合成樹脂製フィルムによって構成され、印刷部と非印刷部とにより、裏面側に前記絵柄が印刷されていること。
（１Ｃ）前記裏打材は光透過性を有する合成樹脂製フィルムによって構成され、全体に前方からの光を反射し、後方からの光を透過し得る光反射性が付与されていること。
（１Ｄ）前記ベース材と前記裏打材との間には、光透過性を有する合成樹脂製フィルムによって構成されたセパレータ層が介在されていること。
（１Ｅ）前記演出装置は、少なくとも前記非印刷部の後方で所定の演出を実行する様に設置されていること。
【０００８】
本発明の遊技機においては、「光透過性を有する合成樹脂製フィルムによって構成され、印刷部と非印刷部とにより、裏面側に前記絵柄が印刷されたベース材」と、このベース材の裏面全体を裏打ちする「光透過性を有する合成樹脂製フィルムによって構成され、全体に前方からの光を反射し、後方からの光を透過し得る光反射性が付与された裏打材」との間には、「光透過性を有する合成樹脂製フィルムによって構成されたセパレータ層」が介在されている。この結果、ベース材の裏面側が印刷部と非印刷部とによって構成されていても、ベース材と裏打材とが的確に密着される。この様な化粧板を合成樹脂製基盤の裏面側に貼り付けているから、合成樹脂製基盤の表側から見たとき、印刷部によって表現された絵柄は、非印刷部を介して視認される光反射性フィルムによる装飾が施されたものとして視認され、非印刷部の光反射性フィルムによる光の反射によって絵柄を強調することができる。また、合成樹脂製基盤の後方に備える演出装置は、少なくとも非印刷部の後方で所定の演出を実行する様に設置され、裏打材は後方からの光を透過し得る光反射性を付与されたものであるから、非印刷部を介して演出装置の演出を視認させることができる。
【０００９】
ここで、本発明の遊技機は、さらに、以下の構成をも備えるとよい。
（２）前記ベース材は、表面全体に粘着剤層を備えたＰＥＴフィルムで構成されていること。
【００１０】
かかる構成をも備えることにより、化粧板を合成樹脂製基盤の裏面に容易に張り付けることができる。
【００１１】
また、本発明の遊技機は、さらに、以下の構成をも備えるとよい。
（３）前記印刷部は、前記絵柄をオフセット印刷用インキを用いて印刷したオフセット印刷層と、該オフセット印刷層の裏面全体に重なる様にシルク印刷用インキを用いて印刷したシルク印刷層とによって構成されていること。
【００１２】
かかる構成をも備えることにより、オフセット印刷によって印刷した精緻な絵柄を、その裏面全体に印刷したスクリーン印刷層によって際立たせることができる。なお、スクリーン印刷層を印刷するスクリーン印刷用インキとしては「光遮断性を有するインキ、特に、白色不透明インキ」を用いるとよい。
【００１３】
また、本発明の遊技機は、さらに、以下の構成をも備えるとよい。
（４）前記セパレータ層は、全体にシリコン処理がなされたＰＥＴフィルムによって構成されていること。
【００１４】
かかる構成をも備えることにより、ベース材と裏打材との密着性を高めると共に、釘打ち等によって裏打材に加わる衝撃を和らげることも可能となる。
【００１５】
また、本発明の遊技機は、さらに、以下の（５）〜（７）のいずれか一つの構成をも備えるとよい。
（５）前記裏打材は、ＰＶＣフィルムに対して形成したエンボス層によって光を拡散反射させる光拡散フィルムによって構成され、前記セパレータ層が前記エンボス層を覆う様に貼り付けられていること。
（６）前記裏打材は、ＰＥＴフィルムに対して形成したエンボス層の表面にアルミ蒸着層を重ね合わせたレンズフィルムによって構成され、前記セパレータ層が前記アルミ蒸着層を覆う様に貼り付けられていること。
（７）前記裏打材は、ＰＥＴフィルムの表面にアルミ蒸着層を重ね合わせたハーフミラーフィルムによって構成され、前記セパレータ層が前記アルミ蒸着層を覆う様に貼り付けられていること。
【００１６】
（５）の構成を備える遊技機は、裏打材のエンボス層が光を拡散反射させ、（６）又は（７）の構成を備える遊技機は、裏打材のアルミ蒸着層が光を反射させる。（６）の構成を備える遊技機においては、さらに、エンボス層によるレンズ効果も加わり、光の反射が特殊な装飾性を発揮する。ここで、「（６Ａ）前記エンボス層は、多数のレンズをマトリクス状に並べたマルチレンズを前記裏打材に備えさせたものとして構成されていること。」という構成をも採用するとよい。（６）の構成を備えた遊技機において（６Ａ）の構成をも備えさせた場合、非印刷部において視認される反射光が、多数の鱗片状に輝く様な印象を与えることができる。また、「（８）前記非印刷部は、前記遊技盤に開口されたセンター飾り取付用開口の周囲の少なくとも一部を取り囲むと共に、該遊技盤に取り付けられる釘（障害釘・誘導釘）・風車・盤面役物等の盤面取付部材の取付範囲の少なくとも一部に重なる様に配置されていること。」とするとよい。かかる構成を採用した場合、非印刷部の前方で遊技球が転動したり、風車が回転することとなり、非印刷部に生じる反射光により、これまでにない遊技球転動状態や風車回転状態を演出することができる。特に、（６）又は（７）の構成を備える遊技機では、合成樹脂製基盤の前面側における遊技球や風車の動きがアルミ蒸着層に反射された鏡像としても視認させ得る。このとき、アルミ蒸着層は、合成樹脂製基盤の裏面側に位置しているから、合成樹脂製基盤の厚さにより、鏡像として視認させる遊技球の動き等があたかも合成樹脂製基盤の中で生じている様な印象を与えることができる。また、盤面取付部材が発光体を内蔵した役物であれば、当該役物において実行される発光演出の光が反射フィルムで反射されて非印刷部を介して視認され、役物における発光演出についても、今までにない斬新な印象を与えることも可能となる。また、「（９）前記演出装置が発光演出を実行する発光演出装置であること。」という構成をも採用するとよい。この場合、（６）及び（６Ｂ）の構成と組み合わせるなら、レンズ効果による斬新な発光演出が可能となる。また、「（１０）前記演出装置が可動体演出を実行する可動体演出装置であって、前記合成樹脂製基盤の後方には、前記可動体演出装置が前記非印刷部の後方で前記所定の演出を実行する際に、前記合成樹脂製基盤の後方を照明する照明装置を備えさせること。」とすれば、可動体演出であっても、非印刷部を透かした状態で視認させることができる。このとき、ハーフミラーフィルム以外の光反射性を有する裏打材を備える遊技機にあっては、可動体演出の見え方に対してさらなる装飾性を付与することができる。
【発明の効果】
【００１７】
本発明によれば、遊技盤を光透過性を有する合成樹脂板基盤で構成した遊技機において、絵柄による装飾効果を低下させることなく装飾性を高めることができる。
【図面の簡単な説明】
【００１８】
【図１】実施例１を示し、（Ａ）はパチンコ機の正面図、（Ｂ）はパチンコ機の右側面図、（Ｃ）は遊技盤の正面図である。
【図２】実施例１を示し、（Ａ）は裏ユニットの正面図、（Ｂ）は遊技盤及び裏ユニットの断面図、（Ｃ）は要部拡大断面図である。
【図３】実施例１を示し、（Ａ）は遊技盤の正面図、（Ｂ）は遊技盤の分解斜視図である。
【図４】具体例１を示し、（Ａ）は化粧板の正面図、（Ｂ）は遊技盤の層構造を示す模式図である。
【図５】具体例１を示し、（Ａ）は遊技盤の正面図、（Ｂ）は遊技盤において拡散反射される様子を示す正面図である。
【図６】具体例２を示し、（Ａ）は化粧板の正面図、（Ｂ）は遊技盤の層構造を示す模式図である。
【図７】具体例２を示し、（Ａ）は遊技盤の正面図、（Ｂ）は遊技盤において発光演出が透過される様子を示す一部拡大図を併記した正面図である。
【図８】具体例３を示し、（Ａ）は化粧板の正面図、（Ｂ）は遊技盤の層構造を示す模式図である。
【図９】具体例３を示し、一部拡大図を併記した遊技盤の正面図である。
【図１０】具体例３を示し、（Ａ）は遊技盤の正面図、（Ｂ）は遊技盤において発光演出が透過される様子を示す正面図である。
【発明を実施するための形態】
【００１９】
以下、本発明の実施形態として、具体的な実施例を図面に基づき詳細に説明する。
【実施例１】
【００２０】
［１  遊技機全体の概要］
実施例１のパチンコ機Ｐは、図１（Ａ），（Ｂ）に示す様に、外枠Ａ、中枠Ｂ、遊技盤Ｃ、前枠Ｄ、上の球受け皿Ｅ、下の球受け皿Ｆ及び発射装置Ｇを備えている。外枠Ａはパチンコ機Ｐの外郭を構成する縦長方形の枠である。中枠Ｂは、各種の遊技用構成部材をセットするための縦長方形の枠であって、外枠Ａの前面側に開閉可能かつ着脱可能に組み付けられる。遊技盤Ｃは、中枠Ｂの開口部に取り付けられる。前枠Ｄは、施錠装置Ｈの操作によって、左端のヒンジを中心に開閉可能となる様に、中枠Ｂの前面側に組み付けられる。上の球受け皿Ｅは、貸し球や賞球の受け皿で、下の球受け皿Ｆは、上の球受け皿Ｅが一杯になったときに排出される遊技球や打ち損じの遊技球等を受ける受け皿である。なお、前枠Ｄは、前枠上部と前枠下部が一体となっているものに限らず、前枠上部だけを独立して開閉する状態と、前枠上部及び前枠下部を共に開閉する状態とを施錠装置Ｈに対する鍵の操作で切り換える構成としておいてもよい。また、下の球受け皿Ｆは、開閉可能な前枠Ｄにではなく中枠Ｂの下部に固定した構成としてもよい。発射装置Ｇは、上の球受け皿Ｅから発射レールに送り込まれた遊技球をハンドル操作に対応する強さで打ち出すための装置であって、中枠Ｂの右下部に装備される。
【００２１】
［２  遊技盤の構成］
遊技盤Ｃは、透明合成樹脂製の板材によって形成され図１（Ｃ）に示す様に、釘（障害釘・誘導釘）１１や風車１２が植設された遊技領域１０の中央にセンター役物３０が取り付けられ、センター役物３０の中央直下に始動入賞装置７が備えられている。また、この始動入賞装置７の右斜め下方に大入賞口１５が設置され、センター役物３０の右側には大入賞口１５の開放時に右側から遊技球を入賞させるための右打ち通路２０が備えられた構成となっている。遊技盤Ｃには、この他、誘導レール１７、普通入賞口１８、アウト口１９等も設置されている。
【００２２】
センター役物３０は、大型装飾体３１、ステージ３２、ワープ通路３３を備えるリング状を呈し、左上部分には障害釘に代わる障害ブロック３４が設けられている。また、センター役物３０には、右打ち通路２０に侵入した遊技球を受け入れる入口３５ａを備えた右側トンネル３５も組み付けられている。この右側トンネル３５の出口３５ｂの真下に位置する様にゲート３７が設けられている。また、センター役物３０の右側下方には、第２始動入賞装置２７も設置されている。この第２始動入賞装置２７は、ゲート３７を遊技球が通過したことを契機に実行される普通図柄抽選結果に基づいて開閉動作される電動式チューリップを供えている。本実施例では、風車１２やセンター役物３０等の役物は、光透過性を有する合成樹脂成形品によって構成されている。
【００２３】
遊技盤Ｃの裏面には、図１（Ｂ），図２（Ｂ）に示す様に、液晶表示装置ＬＣＤを保持させる裏ユニットＣ２が取り付けられる。図２（Ａ）〜（Ｃ）に示す様に、裏ユニットＣ２の前面側には、発光演出装置ＬＥＤ０１，ＬＥＤ０２が備えられると共に、玉排出路４１〜４３が取り付けられている。また、図示していないが、可動体も、裏ユニットＣ２の前面側に取り付けられる。また、裏ユニットＣ２の裏面側に各種制御基板が基板ケースで覆われる様にして取り付けられる。
【００２４】
遊技盤Ｃは、図２（Ｃ），（Ｄ），図３に示す様に、光透過性を有する合成樹脂製基盤Ｃ１の裏面側に、絵柄ＤＥＳＩＧＮが印刷された化粧板Ｃ３が貼り付けられ、開口部ＯＰＮ０１〜ＯＰＮ０８や、切り欠き部ＣＵＴ０１〜ＣＵＴ０５が所定位置に形成されている。
【００２５】
化粧板Ｃ３は、絵柄ＤＥＳＩＧＮが印刷されたベース材Ｃ３ａの裏面全体を裏打材Ｃ３ｂで裏打ちされている。ベース材Ｃ３ａと裏打材Ｃ３ｂとの間にはセパレータ層Ｃ３ｃが介在されている。
【００２６】
ベース材Ｃ３ａは、光透過性を有する合成樹脂製フィルムによって構成され、印刷部ＰＡＴＥＴＥＲＮと非印刷部ＢＬＡＮＫとにより、裏面側に絵柄ＤＥＳＩＧＮが印刷されている。裏ユニットＣ２に取り付けられた発光演出装置ＬＥＤ０１，ＬＥＤ０２は、少なくとも非印刷部ＢＬＡＮＫの後方で所定の発光演出を実行する様に設置されている。
【００２７】
裏打材Ｃ３ｂは光透過性を有する合成樹脂製フィルムによって構成され、図２（Ｃ）に示す様に、前方からの光ＬＩＧＨＴｏｕｔｓｉｄｅを反射し、後方からの光ＬＩＧＨＴｉｎｓｉｄｅを透過し得る光反射性が全体に付与されている。
【００２８】
セパレータ層Ｃ３ｃも、光透過性を有する合成樹脂製フィルムによって構成されている。
【００２９】
［３  基本的な作用・効果］
本実施例のパチンコ機Ｐにおいては、「光透過性を有する合成樹脂製フィルムによって構成され、印刷部ＰＡＴＴＥＲＮと非印刷部ＢＬＡＮＫとにより、裏面側に絵柄ＤＥＳＩＧＮが印刷されたベース材Ｃ３ａ」と、このベース材Ｃ３ａの裏面全体を裏打ちする「光透過性を有する合成樹脂製フィルムによって構成され、全体に前方からの光を反射し、後方からの光を透過し得る光反射性が付与された裏打材Ｃ３ｂ」との間には、「光透過性を有する合成樹脂製フィルムによって構成されたセパレータ層Ｃ３ｃ」が介在されている。この結果、ベース材Ｃ３ａの裏面側が印刷部ＰＡＴＴＥＲＮと非印刷部ＢＬＡＮＫとによって構成されていても、ベース材Ｃ３ａと裏打材Ｃ３ｂとが的確に密着される。この様な化粧板Ｃ３を合成樹脂製基盤Ｃ１の裏面側に貼り付けているから、合成樹脂製基盤Ｃ１の表側から見たとき、印刷部ＰＡＴＴＥＲＮによって表現された絵柄ＤＥＳＩＧＮは、非印刷部ＢＬＡＮＫを介して視認される光反射性フィルム（裏打ち材Ｃ３ｂ）による装飾が施されたものとして視認され、非印刷部ＢＬＡＮＫの光反射性フィルム（裏打ち材Ｃ３ｂ）による光の反射によって絵柄ＤＥＳＩＧＮを強調することができる。また、合成樹脂製基盤Ｃ１の後方に備える発光演出装置ＬＥＤ０１，ＬＥＤ０２は、少なくとも非印刷部ＢＬＡＮＫの後方で所定の発光演出を実行する様に設置され、裏打材Ｃ３ｂは後方からの光ＬＩＧＨＴｉｎｓｉｄｅを透過し得る光反射性を付与されたものであるから、非印刷部ＢＬＡＮＫを介して発光演出装置ＬＥＤ０１，ＬＥＤ０２の発光演出を視認させることができる。
【００３０】
［４  化粧板の具体例と作用・効果］
以下、化粧板Ｃ３の具体例を説明する。
【００３１】
［４．１  具体例１］
［４．１．１  層構造］
具体例１を、図４，図５に基づいて説明する。具体例１は、図４（Ａ）に示す様に、絵柄ＤＥＳＩＧＮが印刷されたベース材Ｃ３ａ１の裏面全体を、エンボス層によって光拡散性を付与した裏打材Ｃ３ｂ１で裏打ちした化粧板Ｃ３−１を用いたものである。
【００３２】
この化粧板Ｃ３−１は、図４（Ｂ）に示す様に、透明アクリル板で構成された合成樹脂製基盤Ｃ１−１の裏面側に貼り付けられる。化粧板Ｃ３−１は、合成樹脂製基盤Ｃ１−１側から、ベース材Ｃ３ａ１、セパレータ層Ｃ３ｃ１、裏打ち材Ｃ３ｂ１の順に積層された構成となっている。
【００３３】
［４．１．２  ベース材］
より具体的には、ベース材Ｃ３ａ１は、表面側から、粘着剤付きベース材、オフセット印刷層、シルク印刷層となっている。
【００３４】
粘着剤付きベース材は、厚さ２５μ±２μの透明なＰＥＴフィルムの表面にアクリル系粘着剤による厚さ７０μ±１０％の粘着層を形成したものである。粘着剤としては、日本タック工業株式会社製のアクリル・酢酸ビニル共重合体系粘着剤、製品名「ＮＴＡ−００１」を用いた。
【００３５】
オフセット印刷層は、アクリル系化合物からなるオフセット印刷用インキを用いて、厚さ１２μ±２μとなる様にオフセット印刷によって形成されている。シルク印刷層は、ウレタン系化合物からなるシルク印刷用インキを用いて、厚さ２０μ±２μとなる様にスクリーン印刷によって形成されている。シルク印刷層は、オフセット印刷層の裏面全体に重なる様に印刷されている。
【００３６】
オフセット印刷用インキは、絵柄ＰＡＴＴＥＲＮに合わせて種々の色のものを用いる。一方、シルク印刷用インキは、白色のものを用いる。シルク印刷用インキとして白色を用いるのは、オフセット印刷によって形成した絵柄ＰＡＴＴＥＲＮの色を際立たせることができるからである。
【００３７】
［４．１．３  裏打ち材］
裏打ち材Ｃ３ｂ１は、表面側から、粘着剤層、エンボス層、透明フィルム層となっている。
【００３８】
粘着剤層は、厚さ１８μ±３μとし、ベース材と同じく日本タック工業株式会社製のアクリル・酢酸ビニル共重合体系粘着剤、製品名「ＮＴＡ−００１」を用いた。
【００３９】
透明フィルム層には厚さ５０μのＰＶＣフィルムを用い、その表面に約１μのエンボス層を形成した。具体的には、Ｓｐｅｃｔｒａｔｅｋ  Ｔｅｃｈｎｏｌｏｇｙ，Ｉｎｃ製のアクリルコーティング二軸延伸ポリエステルフィルム、製品名「＃１１７３８−６７−１」を用いてエンボス加工を施して図４（Ｂ）に示す様な拡散模様を備えた光拡散フィルムを製造した。
【００４０】
［４．１．４  セパレータ層］
ベース材Ｃ３ａ１と裏打ち材Ｃ３ｂ１の間には、厚さ５０μのセパレータ層Ｃ３ｃ１を介在させた。具体的には、リンテック株式会社製の剥離コートフィルム、製品名「ＰＥＴ５０ＳＰ」、成分：ポリエチレンテレフタレート、シリコーンを用いた。
【００４１】
なお、アクリル板Ｃ１−１に貼り付ける前の化粧板Ｃ３−１の状態では、表面及び裏面に、弱粘着性を有する保護フィルムＣ３ｄ１（ＰＶＣフィルム、厚さ５０μ）を貼り付けて、化粧板の表面及び裏面を保護している。
【００４２】
［４．１．５  遊技盤］
具体例１の化粧板Ｃ３−１を、表面の保護フィルムＣ３ｄ１を剥がしてアクリル板Ｃ１−１の裏面に貼り付けた後、図５（Ａ）に示す様に、ルーター加工により、開口部や、切り欠き部を所定位置に形成して遊技盤Ｃ−１とする。この後、釘（障害釘・誘導釘）、風車、センター役物、始動入賞装置等の盤面取付部材を取り付ける。
【００４３】
具体例１の遊技盤Ｃ−１は、裏打材Ｃ３−１の光拡散フィルムが光を拡散反射させ、図５（Ｂ）に示す様に、遊技機の周囲の光を「チカ、チカ」と拡散反射して、絵柄ＰＡＴＴＥＲＮの周囲を明るくするなど、特殊な装飾性を発揮することができる。
【００４４】
［４．２  具体例２］
［４．２．１  層構造］
具体例２を、図６，図７に基づいて説明する。具体例２は、図６（Ａ）に示す様に、絵柄ＤＥＳＩＧＮが印刷されたベース材３ａ２の裏面全体を、レンズ付きフィルムによって光反射性を付与した裏打材Ｃ３ｂ２で裏打ちした化粧板Ｃ３−２を用いたものである。
【００４５】
この化粧板Ｃ３−２は、図６（Ｂ）に示す様に、透明アクリル板で構成された合成樹脂製基盤Ｃ１−２の裏面側に貼り付けられる。化粧板Ｃ３−２は、合成樹脂製基盤Ｃ１−２側から、ベース材Ｃ３ａ２、セパレータ層Ｃ３ｃ２、裏打ち材Ｃ３ｂ２の順に積層された構成となっている。なお、ベース材Ｃ３ａ２、セパレータ層Ｃ３ｂ２、及び保護フィルムＣ３ｄ２は、具体例１と同様なので、説明は省略する。
【００４６】
［４．２．２  裏打ち材］
裏打ち材Ｃ３ｂ２は、表面側から、粘着剤層、アルミ蒸着層、エンボス層、透明フィルム層となっている。
【００４７】
粘着剤層は、厚さ１８μ±３μとし、日本タック工業株式会社製のアクリル・酢酸ビニル共重合体系粘着剤、製品名「ＮＴＡ−００１」を用いた。
【００４８】
アルミ蒸着層、エンボス層、及び透明フィルム層からなるレンズフィルムとしては、厚さ２５μのＰＥＴフィルムの表面に、Ｗａｖｅｆｒｏｎｔ  Ｔｅｃｈｎｏｌｏｇｙ，Ｉｎｃ製の紫外線硬化樹脂、製品名「Ｐ１−Ｆａｓｔ  ＵＶ  Ｃｕｒｉｎｇ  Ｃｏａｔｉｎｇ」をコーティングして厚さ約８μの紫外線硬化樹脂膜を形成し、紫外線透過性ローラーによってレンズアレイを形成しつつ硬化させた後に、膜厚３８０オングストロームのアルミ蒸着層を形成したものである。これにより、図６（Ｂ）に示す様なマルチレンズアレイを備えたレンズフィルムを製造している。
【００４９】
［４．２．３  遊技盤］
具体例２の化粧板Ｃ３−２を、表面の保護フィルムを剥がしてアクリル板Ｃ１−２の裏面に貼り付けた後、図７（Ａ）に示す様に、ルーター加工により、開口部や、切り欠き部を所定位置に形成して遊技盤Ｃ−２とする。この後、釘（障害釘・誘導釘）、風車、センター役物、始動入賞装置等の盤面取付部材を取り付ける。
【００５０】
具体例２の遊技盤Ｃ−２は、図７（Ａ）に示す様に、裏打材Ｃ３−２のレンズフィルムによる反射光が多数の鱗片の様に見え、絵柄ＰＡＴＴＥＲＮの見え方に対して特殊な装飾性を発揮することができる。さらに、発光演出装置ＬＥＤ０１，ＬＥＤ０２による発光演出を行うと、図７（Ｂ）に拡大して示す様に、レンズによって集光された光線が印刷部ＰＡＴＴＥＲＮをも透過して「ピカ、ピカ」と点滅し、今までにはない、全く新しい装飾性を与えることもできる。
【００５１】
［４．３  具体例３］
［４．３．１  層構造］
具体例３を、図８〜図１０に基づいて説明する。具体例３は、図８（Ａ）に示す様に、絵柄ＤＥＳＩＧＮが印刷されたベース材３ａ３の裏面全体を、ハーフミラーフィルムによって光反射性を付与した裏打材Ｃ３ｂ３で裏打ちした化粧板Ｃ３−３を用いたものである。
【００５２】
この化粧板Ｃ３−３は、図８（Ｂ）に示す様に、透明アクリル板で構成された合成樹脂製基盤Ｃ１−３の裏面側に貼り付けられる。化粧板Ｃ３−３は、合成樹脂製基盤Ｃ１−３側から、ベース材Ｃ３ａ３、セパレータ層Ｃ３ｃ３、裏打ち材Ｃ３ｂ３の順に積層された構成となっている。なお、ベース材Ｃ３ａ３、セパレータ層Ｃ３ｂ３、及び保護フィルムＣ３ｄ３は、具体例１と同様なので、説明は省略する。
【００５３】
［４．３．２  裏打ち材］
裏打ち材Ｃ３ｂ３は、表面側から、粘着剤層、アルミ蒸着層、透明フィルム層となっている。
【００５４】
粘着剤層は、厚さ１８μ±３μとし、日本タック工業株式会社製のアクリル・酢酸ビニル共重合体系粘着剤、製品名「ＮＴＡ−００１」を用いた。
【００５５】
アルミ蒸着層、及び透明フィルム層からなるハーフミラーフィルムとしては、厚さ１６μのＰＥＴフィルムの表面に膜厚１８０〜２２０オングストロームのアルミ蒸着層を形成した。具体的には、株式会社コーテック製のアルミ蒸着ＰＥＴ、製品名「１６ＶＭＰＥＴハーフ」を用いた。
【００５６】
［４．３．３  遊技盤］
具体例３の化粧板Ｃ３−３を、表面の保護フィルムを剥がしてアクリル板Ｃ１−３の裏面に貼り付けた後、図９に示す様に、ルーター加工により、開口部や、切り欠き部を所定位置に形成して遊技盤Ｃ−３とする。この後、釘（障害釘・誘導釘）、風車、センター役物、始動入賞装置等の盤面取付部材を取り付ける。
【００５７】
具体例３の遊技盤Ｃ−３は、図９の拡大図に示す様に、裏打材Ｃ３−３のハーフミラーフィルムにより、鏡像ＩＭＡＧＥｍｉｒｒｏｒを反射し、絵柄ＰＡＴＴＥＲＮの見え方に対して特殊な装飾性を発揮することができる。図示の様に、非印刷部ＢＬＡＮＫが、遊技盤に開口されたセンター飾り取付用開口の周囲の少なくとも一部を取り囲むと共に、遊技盤に取り付けられる障害釘・風車・盤面役物等の盤面取付部材の取付範囲の少なくとも一部に重なる様に配置され、当該非印刷部ＢＬＡＮＫの裏面にハーフミラーフィルムが配置されているから、非印刷部ＢＬＡＮＫの前方で遊技球が転動したり、風車が回転することとなり、非印刷部ＢＬＡＮＫに生じる反射光により、これまでにない遊技球転動状態や風車回転状態を演出することができる。このとき、アクリル板Ｃ１−３の厚さにより、鏡像として視認させる釘や風車がアクリル板の中で回転したり遊技球が転動したりする様な印象を与えることができる。
【００５８】
また、図１０（Ａ）に示す様に、ハーフミラーに隠れていた発光演出装置ＬＥＤ０１の発光演出が、図１０（Ｂ）に示す様に、ハーフミラーを通して「キラ、キラ」と視認され、単なる発光演出にはない装飾性を与えることもできる。
【００５９】
この様に、本実施例及び具体例によれば、遊技盤を光透過性を有する合成樹脂板基盤で構成した遊技機において、絵柄による装飾効果を低下させることなく装飾性を高めることができる。
【００６０】
以上、発明を実施するための最良の形態としての実施例及び具体例を説明したが、本発明は、これらに限定されるものではなく、その要旨を逸脱しない範囲内における種々の変更が可能である。
【００６１】
例えば、盤面取付部材が発光体を内蔵した役物であれば、当該役物において実行される発光演出の光が反射フィルムで反射されて非印刷部を介して視認され、役物における発光演出についても、今までにない斬新な印象を与えることも可能となる。また、可動体役物に発光体を備えさせたり、遊技盤の裏側を照明する照明装置を備えさせ、可動体演出であっても、非印刷部を透かした状態で視認させる様にすることもできる。このとき、ハーフミラーフィルム以外の光反射性を有する裏打材を備える遊技機にあっては、可動体演出の見え方に対してさらなる装飾性を付与することができる。
【産業上の利用可能性】
【００６２】
本発明は遊技機に利用することができる。
【符号の説明】
【００６３】
Ａ・・・外枠、Ｂ・・・中枠、ＢＬＡＮＫ・・・非印刷部、Ｃ・・・遊技盤、Ｃ−１，Ｃ−２，Ｃ−３・・・遊技盤、Ｃ１・・・合成樹脂製基盤、Ｃ１−１，Ｃ１−２，Ｃ１−３・・・アクリル板、Ｃ２・・・裏ユニット、Ｃ３，Ｃ３−１，Ｃ３−２，Ｃ３−３・・・化粧板、Ｃ３ａ，Ｃ３ａ１，Ｃ３ａ２，Ｃ３ａ３・・・ベース材、Ｃ３ｂ，Ｃ３ｂ１，Ｃ３ｂ２，Ｃ３ｂ３・・・裏打材、Ｃ３ｃ，Ｃ３ｃ１，Ｃ３ｃ２，Ｃ３ｃ３・・・セパレータ層、Ｃ３ｄ１，Ｃ３ｄ２，Ｃ３ｄ３・・・保護フィルム、ＣＵＴ０１〜ＣＵＴ０５・・・切り欠き部、Ｄ・・・前枠、ＤＥＳＩＧＮ・・・絵柄、Ｅ・・・上の球受け皿、Ｆ・・・下の球受け皿、Ｇ・・・発射装置、Ｈ・・・施錠装置、ＬＣＤ・・・液晶表示装置、ＬＥＤ０１，ＬＥＤ０２・・・発光演出装置、ＬＩＧＨＴｉｎｓｉｄｅ・・・後方からの光、ＬＩＧＨＴｏｕｔｓｉｄｅ・・・前方からの光、ＯＰＮ０１〜ＯＰＮ０８・・・開口部、Ｐ・・・パチンコ機、ＰＡＴＥＴＥＲＮ・・・印刷部。
７・・・始動入賞装置、１０・・・遊技領域、１１・・・釘、１２・・・風車、１５・・・大入賞口、１７・・・誘導レール、１８・・・普通入賞口、１９・・・アウト口、２０・・・右打ち通路、２７・・・第２始動入賞装置、３０・・・センター役物、３１・・・大型装飾体、３２・・・ステージ、３３・・・ワープ通路、３４・・・障害ブロック、３５・・・右側トンネル、３７・・・ゲート、４１〜４３・・・玉排出路。
【図１】
2018068607.tif 000003
【図２】
2018068607.tif 000004
【図３】
2018068607.tif 000005
【図４】
2018068607.tif 000006
【図５】
2018068607.tif 000007
【図６】
2018068607.tif 000008
【図７】
2018068607.tif 000009
【図８】
2018068607.tif 000010
【図９】
2018068607.tif 000011
【図１０】
2018068607.tif 000012